(57)【要約】      （修正有）【課題】軽い力で陳列棚を昇降でき、陳列棚を所要の高さ位置に確実に固定でき、その高さ位置の変更の操作性が良いオープンショーケースを得る。【解決手段】収容物が載置される陳列棚３（３ａ）を有し、陳列室２の後面側には、上下方向に延びる棚柱２２が配置されており、その棚柱２２には、前側に向けて開けられた複数の嵌合孔２３が上下方向に並べてある。陳列棚３からは、陳列室２の後面側に向けて係止片２０が突出しており、その係止片２０は、棚柱２２の各嵌合孔２３に差し込み係合可能になっている。ショーケース本体１には、上下ガイド手段４３によって昇降可能にされた棚ブラケット３１が配置されており、棚ブラケット３１は、引っ張りコイルばね１９によって上方向に付勢されている。陳列棚３が、前後方向に往復移動を可能にする前後ガイド手段３４を介して棚ブラケット３１に支持されている。【選択図】図５
2008289715.tif 000002
【特許請求の範囲】
【請求項１】
ショーケース本体（１）内に設けられて前面が開口する陳列室（２）と、陳列室（２）内に配置してあって収容物が載置される陳列棚（３）とを有するオープンショーケースにおいて、
陳列室（２）の後面側には、上下方向に延びる棚柱（２２）が配置されており、その棚柱（２２）には、前側に向けて開けられた複数の嵌合孔（２３）が上下方向に並べて形成してあり、
陳列棚（３）からは、陳列室（２）の後面側に向けて係止片（２０）が突出しており、その係止片（２０）は、棚柱（２２）の各嵌合孔（２３）に差し込み係合可能になっており、
ショーケース本体（１）には、上下ガイド手段（４３）によって昇降可能にされた棚ブラケット（３１）が配置されており、
棚ブラケット（３１）は、付勢手段（１９）によって上方向に付勢されており、
陳列棚（３）が、前後方向に往復移動を可能にする前後ガイド手段（３４）を介して棚ブラケット（３１）に支持されていることを特徴とするオープンショーケース。
【請求項２】
棚ブラケット（３１）は、前後二つの切り欠き（４７・４８）を有し、
陳列棚（３）にはストッパ部材（５０）が設けられていて、ストッパ部材（５０）が棚ブラケット（３１）の前後何れかの切り欠き（４７・４８）に係合することで、棚ブラケット（３１）に対する陳列棚（３）の前後方向の移動が阻止されるようになっており、
ストッパ部材（５０）が棚ブラケット（３１）の後側の切り欠き（４７）に係合するときは、陳列棚（３）の係止片（２０）が棚柱（２２）の嵌合孔（２３）に係合状態になり、そのストッパ部材（５０）が棚ブラケット（３１）の前側の切り欠き（４８）に係合するときは、陳列棚（３）の係止片（２０）が棚柱（２２）の嵌合孔（２３）から離脱状態になる請求項１に記載のオープンショーケース。
【請求項３】
ショーケース本体（１）には、上下方向に延びるガイドレール（４２）が配置されており、
棚ブラケット（３１）にはガイドローラ（３３）が軸支されており、そのガイドローラ（３３）は、ショーケース本体（１）のガイドレール（４２）に対して前後方向に接触状態でガイドレール（４２）を転動するように係合配置されており、
棚ブラケット（３１）に固定された可動側レール（３７）と、ショーケース本体（１）に固定された固定側レール（４５）とが係合して、棚ブラケット（３１）の左右方向の動きが規制され、
棚ブラケット（３１）のガイドローラ（３３）とショーケース本体（１）のガイドレール（４２）との係合および棚ブラケット（３１）の可動側レール（３７）とショーケース本体（１）の固定側レール（４５）とが係合して上下ガイド手段（４３）を形成している請求項１と２の何れかに記載のオープンショーケース。
【請求項４】
付勢手段（１９）が、ショーケース本体（１）と棚ブラケット（３１）との間に架け渡された引っ張りコイルばねから成る請求項１と２と３の何れかに記載のオープンショーケース。
【発明の詳細な説明】
【技術分野】
【０００１】
本発明は、ショーケース本体の陳列室内に配置した陳列棚に食品等の収容物が載置されることで、その収容物を冷蔵又は温蔵するオープンショーケースに関するものである。
【背景技術】
【０００２】
特許文献１・２には、陳列棚の上下方向の高さ位置を変更可能にしたものが開示されている。つまり、特許文献１では、陳列棚に軸支されたピニオンが冷蔵室の内面において上下方向に形成されたラック部に噛合しており、ピニオンの歯車軸に外嵌しているコイルばねが、陳列棚の昇降動作に伴ってその歯車軸を締め付けることで、陳列棚が所要の高さ位置に固定されるようにしてある。また、特許文献１では、渦巻ばねの一端を冷蔵室の内面に固定するとともに、その他端を陳列棚に固定することで、軽い力で陳列棚を昇降できるようにしてある。
【０００３】
特許文献２では、交差状に配置した一対の腕の一端を冷蔵室の内面にそれぞれ固定し、その一対の腕の他端を陳列棚に設けたガイドにそれぞれ摺動可能に係合する。そして、それらの腕の交差部を冷蔵室の内面に対して上下方向に移動する固定ネジに掛け、その固定ネジを上下方向に移動させて所要の高さ位置で締め込むことで、陳列棚を所要の高さ位置に固定できるようにしてある。
【０００４】
【特許文献１】特開平６−１０１９６１号公報（図１−２）
【特許文献２】特開平５−２０３３４０号公報（図１−２）
【発明の開示】
【発明が解決しようとする課題】
【０００５】
特許文献１では、コイルバネの歯車軸に対する締め付け力のみで陳列棚を固定しているために、陳列棚に載置した収容物の個数が多い等の理由によって陳列棚が重くなったときには、その重さで歯車軸が回って陳列棚が下降してしまい、所要の高さ位置に陳列棚を保持できなくなる。
【０００６】
特許文献２でも、陳列棚に載置した収容物の個数が多い等のときには、収容物の重量で腕が撓んでしまい、所要の高さ位置に陳列棚を保持できなくなる。しかも、特許文献２では、陳列棚を支えながら固定ネジを緩めたり締め込んだりしなければならないために、陳列棚の高さ位置を変更等する際の操作性が悪いことになる。
【０００７】
そこで本発明の目的は、軽い力で陳列棚を昇降することができながら、陳列棚を所要の高さ位置に確実に固定できるとともに、その高さ位置の変更等の際における操作性が良いオープンショーケースを提供することにある。
【課題を解決するための手段】
【０００８】
本発明に係るオープンショーケースは、ショーケース本体１内に設けられて前面が開口する陳列室２と、陳列室２内に配置してあって収容物が載置される陳列棚３とを有するオープンショーケースにおいて、陳列室２の後面側には、上下方向に延びる棚柱２２が配置されており、その棚柱２２には、前側に向けて開けられた複数の嵌合孔２３が上下方向に並べて形成してあり、陳列棚３からは、陳列室２の後面側に向けて係止片２０が突出しており、その係止片２０は、棚柱２２の各嵌合孔２３に差し込み係合可能になっており、ショーケース本体１には、上下ガイド手段４３によって昇降可能にされた棚ブラケット３１が配置されており、棚ブラケット３１は、付勢手段１９によって上方向に付勢されており、陳列棚３が、前後方向に往復移動を可能にする前後ガイド手段３４を介して棚ブラケット３１に支持されていることを第１の特徴とする（図１）。
【０００９】
本発明の第２の特徴は、前記第１の特徴に加えて、棚ブラケット３１は、前後二つの切欠き４７・４８を有し、陳列棚３にはストッパ部材５０が設けられていて、ストッパ部材５０が棚ブラケット３１の前後何れかの切り欠き４７・４８に係合することで、棚ブラケット３１に対する陳列棚３の前後方向の移動が阻止されるようになっており、ストッパ部材５０が棚ブラケット３１の後側の切り欠き４７に係合するときは、陳列棚３の係止片２０が棚柱２２の嵌合孔２３に係合状態になり、そのストッパ部材５０が棚ブラケット３１の前側の切り欠き４８に係合するときは、陳列棚３の係止片２０が棚柱２２の嵌合孔２３から離脱状態になっている点にある（図１・図９）。
【００１０】
本発明の第３の特徴は、前記第１および第２の特徴に加えて、ショーケース本体１には、上下方向に延びるガイドレール４２が配置されており、棚ブラケット３１にはガイドローラ３３が軸支されており、そのガイドローラ３３は、ショーケース本体１のガイドレール４２に対して前後方向に接触状態でガイドレール４２を転動するように係合配置されており、棚ブラケット３１に固定された可動側レール３７と、ショーケース本体１に固定された固定側レール４５とが係合して、棚ブラケット３１の左右方向の動きが規制され、棚ブラケット３１のガイドローラ３３とショーケース本体１のガイドレール４２との係合および棚ブラケット３１の可動側レール３７とショーケース本体１の固定側レール４５とが係合して上下ガイド手段４３を形成している点にある（図１・図５）。
【００１１】
本発明の第４の特徴は、前記第１、第２および第３の何れかの特徴に加えて、付勢手段１９が、ショーケース本体１と棚ブラケット３１との間に架け渡された引っ張りコイルばねから成る点にある。
【発明の効果】
【００１２】
本発明のオープンショーケースは、陳列棚３を支持する棚ブラケット３１が付勢手段１９によって上方向に付勢されているので、収容物を載置した陳列棚３の高さ位置を変更するために、陳列棚３を前方へ動かして陳列棚３の係止片２０を棚柱２２の嵌合孔２３から離脱させたときには、陳列棚３には付勢手段１９の上方向への付勢力が加わっている分だけ、軽い力でも陳列棚３が上昇する。その分だけ収容物の個数等に合わせて陳列棚３の高さ位置を変更する際の負担が軽減される。そのうえで、陳列棚３の係止片２０を所要の高さ位置に対応する棚柱２２の嵌合孔２３に差し込み係合したときには、陳列棚３の係止片２０が棚柱２２の嵌合孔２３の上下の縁等に当たることで、陳列棚３の昇降移動が確実に規制される。つまり、陳列棚３を所要の高さ位置に確実に固定できることになる。しかも、陳列棚３を前方へ動かして陳列棚３の係止片２０を棚柱２２の嵌合孔２３から離脱させるだけで陳列棚３の高さ位置を自由に変更することができ、また陳列棚３を後方へ動かして陳列棚３の係止片２０を棚柱２２の嵌合孔２３に差し込み係合するだけで陳列棚３を固定できるので、その分だけ陳列棚３の高さ位置を変更する際の操作性が良好になる。
【００１３】
本発明では、陳列棚３のストッパ部材５０を棚ブラケット３１の後側の切り欠き４７に係合したときには、陳列棚３の係止片２０が棚柱２２の嵌合孔２３に係合状態になるので、その位置から前方へは陳列棚３が動かず、したがって陳列棚３の係止片２０が棚柱２２の嵌合孔２３から勝手に離脱することがなく、それによって陳列棚３を所要の高さ位置に固定した状態を確実に維持できる。また、陳列棚３のストッパ部材５０を棚ブラケット３１の前側の切り欠き４８に係合したときには、陳列棚３の係止片２０が棚柱２２の嵌合孔２３から離脱状態で陳列棚３の前後方向の移動が阻止されるので、陳列棚３の高さ位置を変更する際に陳列棚３が前後にがたつくことが防止され、その分だけ陳列棚３の高さ位置を変更する際の操作性がより良好になる。
【００１４】
本発明では、棚ブラケット３１のガイドローラ３３とショーケース本体１のガイドレール４２との係合および棚ブラケット３１の可動側レール３７とショーケース本体１の固定側レール４５との係合によって、棚ブラケット３１の昇降移動のみが許容されるので、棚ブラケット３１の左右方向および前後方向へのがたつきが防止され、所要の高さ位置で固定された陳列棚３が左右方向や前後方向にがたつくことが確実に防止される。
【００１５】
本発明では、付勢手段１９が引っ張りコイルばねから成るので、陳列棚３を上方向に付勢する付勢手段１９を簡単に形成することができる。
【発明を実施するための最良の形態】
【００１６】
図１ないし図１０は、本発明に係るオープンショーケースを示しており、図２および図３に示すように、縦型のショーケース本体１と、ショーケース本体１内に設けられて前面（図３では左側）が開口する陳列室２と、陳列室２内において上下方向へ６段に配置した陳列棚３と、陳列室２の上側前部に設けた空気吹出口５と、陳列室２の下側前部に設けた空気吸込口６とを有する。各陳列棚３には、サンドイッチや弁当等の収容物が載置される。ショーケース本体１の外周壁９は断熱構造になっており、その外周壁９と陳列室２の内壁７との間に、暖気や冷気を陳列室２内へ循環させるための循環路１１を設けてある。循環路１１の下端側が空気吸込口６に繋がっており、循環路１１の上端側が空気吹出口５に繋がっている。循環路１１内には、送風ファン１２および熱交換器１３等を配置してある。
【００１７】
送風ファン１２の送風作用によって、熱交換器１３で温められた暖気又は冷却された冷気が空気吹出口５から陳列室２内へ下向きに吹き出され、陳列室２内の空気が空気吸込口６から循環路１１内へ吸い込まれて熱交換器１３に循環する。これにより、陳列室２の前面にエアーカーテンが形成されるとともに陳列室２内が温められ又は冷却される。陳列室２の天井面等には照明具１５を配している。ショーケース本体１の下部等に設けた機械室内には、圧縮機や凝縮器や膨張弁等が配置されており、それらは管路を介して熱交換器１３に接続されている。ショーケース本体１の上部前面には、陳列室２内の温度等を設定するための操作スイッチや表示装置等を有する操作部１６（図２）が配置されている。なお、各陳列棚３等にヒータを配置して、各陳列棚３上の収容物を温めるようにしてもよい。
【００１８】
６段の陳列棚３のうち、下側の２段の各陳列棚３ａ（以下、下側陳列棚３ａという。）は、図１および図４に示すように、６個の引っ張りコイルばね（付勢手段）１９によってそれぞれ上方向に付勢されており、それによって下側陳列棚３ａの高さ位置を上側へ変更する際に、その下側陳列棚３ａを容易に持ち上げることができるようになっている。
【００１９】
下側陳列棚３ａは、その左右の各後端（図１では右側）から陳列室２の後面側に向けて上下一対の係止片２０・２０がそれぞれ後ろ向きに突出している。陳列室２の後面側には、図４に示すように、左右一対の棚柱２２・２２がそれぞれ配置されている。各棚柱２２は、上下方向に延びるよう形成されており、各棚柱２２には、前側に向けて開けられた複数の嵌合孔２３が上下方向に所定間隔をあけて並べて形成してある。その各棚柱２２の嵌合孔２３から所要の高さ位置の嵌合孔２３・２３を適宜選んで、その嵌合孔２３・２３に下側陳列棚３ａの係止片２０・２０をそれぞれ差し込み係合することにより、下側陳列棚３ａが、任意の高さ位置において片持ち状に支持（固定）される。なお、６段の陳列棚３のうち、上側の４段の各陳列棚３ｂは、その左右の各後端からそれぞれ陳列室２の後面側に向けてフック形状の上下一対の係止片を突出している。その係止片が各棚柱２２の所要の嵌合孔２３・２３に係止されることで、上側の４段の各陳列棚３ｂが任意の高さ位置において片持ち状に支持される。
【００２０】
下側陳列棚３ａは、図４および図５に示すように、左右方向に横長であって平面視で四角枠形状のフレーム２５と、そのフレーム２５に固定される透明ガラス等から成る棚板２６と、フレーム２５の左右縁から垂設されて前後方向に延びる左右一対の連結板２７とを有している。各連結板２７の後端に前記係止片２０・２０が設けられている。各連結板２７の内面側には、前後方向に延びる可動レール２９をそれぞれ設けてある。
【００２１】
下側陳列棚３ａの下側には、その下側陳列棚３ａに可動レール２９および固定レール３０を介して連結される棚ブラケット３１が配置されている（図６参照）。つまり、下側陳列棚３ａの左右の可動レール２９が、棚ブラケット３１の左右の固定レール３０に連結することで、下側陳列棚３ａが、可動レール２９と固定レール３０とを介して、棚ブラケット３１に対して前後方向に往復移動を可能にする状態で支持される。すなわち、下側陳列棚３ａが、後方の退入位置（図１の位置）と、前方の引き出し位置（図１０の位置）とに亘ってほぼ水平姿勢で前後移動可能になる。下側陳列棚３ａの可動レール２９と棚ブラケット３１の固定レール３０とで前後ガイド手段３４（図６参照）が構成される。
【００２２】
棚ブラケット３１は、図４および図５に示すように、その左右にそれぞれ設けた左右一対の支持部３２・３２と、左右の支持部３２・３２の後端にそれぞれ配置して上下一対のガイドローラ３３・３３を軸支した左右一対のローラ支持体３５・３５と、左右のローラ支持体３５・３５の後端間に掛け渡されて各引っ張りコイルばね１９の下端を係止しているばね受アングル３６と、ばね受アングル３６の左右両端寄りにそれぞれ設けてあって上下方向に延びる可動スライドレール３７をそれぞれ取り付けた左右一対のレール支持部３９・３９と、左右のレール支持部３９・３９の上端間に掛け渡された支持アングル４０と、左右の支持部３２・３２の後端間に掛け渡された連結アングル４１とを有している。前記固定レール３０は、左右の支持部３２・３２の外面側にそれぞれ取り付けられている。
【００２３】
ショーケース本体１の外周壁９と陳列室２の内壁７との間には、断面視でコ字状の左右一対のガイドレール４２・４２を配置している。各ガイドレール４２は、上下方向に延びるように形成されている。その左右のガイドレール４２・４２の内面に対して、棚ブラケット３１の各支持部３２のガイドローラ３３・３３が、それぞれ前後方向に接触状態でガイドレール４２・４２を上下方向に転動するように係合配置されている。
【００２４】
ショーケース本体１の外周壁９と陳列室２の内壁７との間には、棚ブラケット３１に固定された左右の可動スライドレール（可動側レール）３７・３７がそれぞれ係合する左右一対の固定スライドレール（固定側レール）４５・４５が固定されている。そのショーケース本体１の固定スライドレール４５・４５と棚ブラケット３１の可動スライドレール３７・３７との係合によって棚ブラケット３１の左右方向の動きが規制される。そして、棚ブラケット３１の各支持部３２のガイドローラ３３・３３とショーケース本体１の左右のガイドレール４２・４２との係合およびショーケース本体１の固定スライドレール４５・４５と棚ブラケット３１の可動スライドレール３７・３７との係合によって、棚ブラケット３１を昇降のみ可能にする上下ガイド手段４３が形成される（図５参照）。なお、棚ブラケット３１のガイドローラ３３・３３は、ローラ支持体３５・３５の後端寄りに取り付けられる。
【００２５】
棚ブラケット３１のばね受アングル３６には、６本の引っ張りコイルばね１９の各下端が左右方向に並べて係止されている。各引っ張りコイルばね１９の上端は、ショーケース本体１の外周壁９と陳列室２の内壁７との間で左右方向に延びるばね受け部にそれぞれ係止されている。それによって、各引っ張りコイルばね１９が、ショーケース本体１と棚ブラケット３１との間に架け渡される。
【００２６】
棚ブラケット３１における左右の支持板３２・３２の前端上部は、図７に示すように、前後二つの切り欠き４７・４８をそれぞれ有しており、下側陳列棚３ａのフレーム２５における左右のフレーム部分には、ストッパ部材５０がそれぞれ設けられている。各ストッパ部材５０は、下側陳列棚３ａでのフレーム２５における左右のフレーム部分の下面に、固定部５２によって片持ち状に取り付けられる板ばね５１を有している。ストッパ部材５０の板ばね５１の前端部には、棚ブラケット３１の支持板３２・３２の切り欠き４７・４８に入り込んで係合する突起５３が設けられている。そして、ストッパ部材５０の板ばね５１の突起５３が、棚ブラケット３１の支持板３２・３２の前後いずれかの切り欠き４７・４８に入り込んで係合したときには、そのストッパ部材５０の板ばね５１の弾性力で切り欠き４７・４８からの突起５３の抜け止めが図られる。したがって、棚ブラケット３１に対する下側陳列棚３ａの前後方向の移動が阻止される。なお、ストッパ部材５０の板ばね５１の前端は、下向きのフック状に折れ曲がっていて、指等を容易に引っ掛けることができるようになっている。
【００２７】
陳列室２の内壁７における後壁部分の左右には、図２に示すように、上下方向に延びる挿通孔５５・５５がそれぞれ形成されており、各嵌合孔５５を介して棚ブラケット３１の支持板３２・３２および下側陳列棚３ａが陳列室２内に配置される。
【００２８】
通常の使用状態では下側陳列棚３ａは後退していて、下側陳列棚３ａの係止片２０・２０がそれぞれ棚柱２２の嵌合孔２３・２３に差し込まれて係合しており（図１の状態）、棚ブラケット３１および下側陳列棚３ａの上下移動が阻止されている。また、下側陳列棚３ａのストッパ部材５０の突起５３は、棚ブラケット３１の後ろ側の切り欠き４７に係合しており、下側陳列棚３ａの前後移動が阻止されている。
【００２９】
その下側陳列棚３ａの高さ位置を変更するときには、下側陳列棚３ａのストッパ部材５０の板ばね５１の前端側を持ち上げて、ストッパ部材５０の突起５３を棚ブラケット３１の後ろ側の切り欠き４７から外し、そのまま下側陳列棚３ａを前方に動かして、図９に示すように下側陳列棚３ａの各係止片２０を棚柱２２の各嵌合孔２３から外すとともに、ストッパ部材５０の突起５３を棚ブラケット３１の前側の切り欠き４８に係合する（図８の状態）。それによって、下側陳列棚３ａの前後移動が阻止される一方で、下側陳列棚３ａの各係止片２０が棚柱２２の各嵌合孔２３から外れていることで棚ブラケット３１および下側陳列棚３ａの上下移動が可能になる。
【００３０】
その状態で、下側陳列棚３ａを上下方向に動かし、所要の高さ位置で下側陳列棚３ａを後方に動かすことで、下側陳列棚３ａの各係止片２０がそれぞれ棚柱２２の各嵌合孔２３に差し込まれて係合するとともに、下側陳列棚３ａのストッパ部材５０の突起５３が前側の切り欠き４８から外れて棚ブラケット３１の後ろ側の切り欠き４７に係合される。したがって、下側陳列棚３ａの上下移動および前後移動が阻止される。
【００３１】
また、下側陳列棚３ａに収容物を載置するときには、下側陳列棚３ａのストッパ部材５０の板ばね５１の前端側を持ち上げて、ストッパ部材５０の突起５３を棚ブラケット３１の後ろ側の切り欠き４７から外し、そのまま下側陳列棚３ａを前方に動かして、図１０に示すように下側陳列棚３ａの各係止片２０を棚柱２２の各嵌合孔２３から外すとともに、ストッパ部材５０の突起５３を棚ブラケット３１の前側の切り欠き４８よりもさらに前方に引き出すことで、例えば下側陳列棚３ａの前部が陳列室２の前面よりも前方に飛び出す。それによって、その下側陳列棚３ａ上に収容物を容易に載置できるようになる。
【図面の簡単な説明】
【００３２】
【図１】本発明に係るオープンショーケースの要部を示す概略縦断面図である。
【図２】オープンショーケースの正面図である。
【図３】オープンショーケースの概略縦断面図である。
【図４】陳列室の内壁を省略した状態でのオープンショーケースの要部を示す正面図である。
【図５】下側の陳列棚と棚ブラケットとの分解斜視図である。
【図６】前後ガイド手段の正面図である。
【図７】ストッパ部材の斜視図である。
【図８】棚ブラケットの前後の切り欠きを示す側面図である。
【図９】下側の陳列棚と棚ブラケットとを上下方向へ移動可能にした状態を示す図１相当図である。
【図１０】下側の陳列棚を前方に引き出した状態を示す図１相当図である。
【符号の説明】
【００３３】
１  ショーケース本体
２  陳列室
３  陳列棚
３ａ  下側の陳列棚
１９  引っ張りコイルばね
２０  係止片
２２  棚柱
２３  嵌合孔
３１  棚ブラケット
３３  ガイドローラ
３４  前後ガイド手段
３７  可動スライドレール
４２  ガイドレール
４３  上下ガイド手段
４５  固定スライドレール
４７  後ろ側棚ブラケット
４８  前側の切り欠き
５０  ストッパ部材
【図１】
2008289715.tif 000003
【図２】
2008289715.tif 000004
【図３】
2008289715.tif 000005
【図４】
2008289715.tif 000006
【図５】
2008289715.tif 000007
【図６】
2008289715.tif 000008
【図７】
2008289715.tif 000009
【図８】
2008289715.tif 000010
【図９】
2008289715.tif 000011
【図１０】
2008289715.tif 000012